(57)【特許請求の範囲】
【請求項１】
前後一体の支柱を左右に配設し、該左右の支柱間に、各々複数の支杆を上方に向けて折畳み可能に連結した上下二段状に棚体を設け、上段の棚体は左右の支杆と、左右の支杆間に折曲可能に連結した中間杆とからなり、中間杆間には一体に補強杆を架設してなることを特徴とする遺体一時保管用載置体の構造。
【請求項２】
前記前後の支柱には相互に先端部が係合して遺体一時保管用棺樋を前記棚体に保持するバンドを設け、該バンドを前記棚体の折畳み時に結束用バンドとしてなる前記請求項１記載の遺体一時保管用載置体の構造。
【発明の詳細な説明】
【０００１】
【発明の属する技術分野】
本発明は震災などによって多数の死亡者が発生した場合に、その遺体を行政機関等が一時的に棺樋に収容して保管するための載置体に関する。
【０００２】
【従来の技術】
従来、多数の死亡者が発生した場合には、その遺体を棺樋に収容し、その棺樋を講堂、体育館などの広い場所の床面に載置して一時的に保管、収容している。
【０００３】
【発明が解決しようとする課題】
多数の棺樋を載置するために広い場所が必要となるし、一方、多数の棺樋を収容できるように、棺樋載置用の付台枠、例えば二段ベッド状に載置体を形成すると、この載置体は嵩張るために、保管用スペースが必要となる不具合がある。
【０００４】
本発明は斯様な事情に鑑みてなされたものであり、前記載置体の保管用スペースを削減することを目的とする。
【０００５】
【課題を解決するための手段】
以上の目的を達成するための本発明に係る遺体一時保管用載置体は、前後一体の支柱を左右に配設し、該左右の支柱間に、各々複数の支杆を上方に向けて折畳み可能に連結した上下二段状に棚体を設け、上段の棚体は左右の支杆と、左右の支杆間に折曲可能に連結した中間杆とからなり、中間杆間には一体に補強杆を架設してなることを特徴とするものである。
【０００６】
以上の構成により、上下の棚体が折り畳まれ、しかも、上段の棚体が前後左右の支柱より上方に突出することなく折り畳まれるため、不使用時の保管用スペースを削減できる。
【０００７】
また、前記前後の支柱には相互に先端部が係合して遺体一時保管用棺樋を前記棚体に保持するバンドを設け、該バンドを前記棚体の折畳み時に結束用バンドとしてなることにより、使用時に棺樋を保持するためのバンドが、不使用時に結束用のバンドとなり、不使用時の載置体の保管及び運搬等が至便となる。
【０００８】
【発明の実施の形態】
以下、本発明の実施の一形態を図面に基づいて説明する。
図１は棺樋Ａ、Ａを上下に載置して遺体を一時的に保管する状態を示し、図中１０は前左支柱、１１は前右支柱、１２は後左支柱、１３は後右支柱で、前左支柱１０と後左支柱１２とは上下の連結杆１４、１５で、また、同様に前右支柱１１と後左支柱１３は上下の連結杆１６、１７で、各々一体に連結されている。
【０００９】
以上の前左支柱１０、後左支柱１２と前右支柱１１、後右支柱１３との間には、上下二段状に折畳み可能な棚体２、３がヒンヂによって架設されている。
【００１０】
この棚体２、３の全長は棺樋Ａ、Ａの全長と略同一若しくは若干長く形成して、遺体を収容した棺樋Ａ、Ａを載置する。
そして、この棺樋Ａ、Ａは、バンド４１、４２によって支持され、定位置に移動することなく載置される。
【００１１】
各バンド４１、４２は、基端を前記前左支柱１０…等に取付け、先端部がベルベットファスナーなどの面状ファスナーを取付けてバンド４１にバンド４２が連結するように形成されている。図中４１はファスナーの雄体を有するバンド、４２はファスナーの雄体に係合するファスナーの雌体を有するバンドを各々示す。
【００１２】
このバンド４１、４２は、図１に示すように前左支柱１０用と前右支柱１１用とを各々反対に配設することにより、図４に示すように棚体２、３を折り畳んだ際の結束用バンドになる。
【００１３】
棚体２、３は、前後一対の複数の支杆２０、２１、２２、３０、３１…を折畳み自在に連結することにより形成されている。そして、支杆２０、２１、３０、３１は一端が前記各支柱１０…に締結したヒンヂブラケット２０Ａ、２１Ａ、３０Ａ、３１Ａにヒンヂピンによって、他端側が上方に回動可能に枢着されている。
【００１４】
上段の棚体２は、左右の支杆２０、２１と、この支杆２０、２１間に連結する中間杆２２とから構成され、前後の中間杆２２、２２は補強杆２３で一体に連結されている。
【００１５】
一方、下段の棚体３は、左右の支杆３０より構成されている。
そして、以上の前後一対の支杆２０、２１、３０、３１と、中間杆２２及び前記各支柱１０…は、角パイプで形成され、各支杆２０、２１、３０、３１、中間杆２２は連結ブラケット２４によって水平状に保持され、上方に折曲可能に連結されている。
【００１６】
各連結ブラケット２４は、図２、図３に示すように、コ字状の金属片で連結する一方の支杆２０、２１、３０、３１の先端より開口を下向きに突出するように固着し、他方の支杆３１又は中間杆２２を抱持し、この他方の支杆３１又は中間杆２２の下面より突出するアーム２５がヒンヂピン２６で、連結ブラケット２４より下方に延設した突出部２４Ａに回動自在に連結されている。
【００１７】
従って、一方の支杆２０、２１、３０に固着してその支杆２０、２１、３０の先端より突出する連結ブラケット２４によって、他方の支杆３１、中間杆２２の端部は支持されているため、各支杆２０…、中間杆２２は下方に折曲することなく連結されるが、各連結ブラケット２４は開口を下向きに支杆２０、２１、３０に固着しているため、上方には折曲可能に連結される。
【００１８】
以上の前後の支杆２０、２１、３０、３１は丸パイプ製の連結杆２７、２８、３２、３３で一体に連結され、この各連結杆２７…及び前記補強杆２３の外周には外パイプが回動自在に取付けてあり、前記棺樋Ａ、Ａがスライドし、棚体２、３に載置し、取り出し易いように構成されている。
【００１９】
図４は不使用状態を示し、上、下の棚体２、３を長手方向に折り畳んだ状態で、この状態で倉庫等に格納する。
上段の棚体２は、左右の支杆２０、２１と中間杆２２とから構成されているため、図５に示すように、折り畳んだ状態で各支柱１０、１１…の頂部より上方に突出することがない。
【００２０】
そして、この上、下の棚体２、３を折り畳んだ状態で、前記バンド４１、４２を相互に係合することにより、折り畳み状態を保持する。
【００２１】
なお、前記図１に示す使用状態においては、各支柱１０、１１、１２、１３の外周面に設けた掛止突起（不図示）に遮蔽幕を掛止して上下の棚体２、３に載置した棺樋が外部から視覚されないようになっている。
【００２２】
【発明の効果】
本請求項１の発明によれば、上、下の棚体を折り畳んだ際に、棚体の一部が支柱より突出することがないため、多数の載置体を格納し易く、しかも、格納用の保管スペースを削減できる。
【００２３】
しかも、保管時及び使用時に、上段の棚体における前後の中間杆は補強杆で一体に連結されているため、中間杆の剛性が向上し、保管状態及び使用状態において、中間杆の変形を防止できる。
【００２４】
本請求項２の発明によれば、使用時に棺樋を所定位置に保持するためのバンドが、不使用時である載置体の保管時に、保管用或いは運搬用の結束バンドとなり、保管、運搬が行い易い。
【図面の簡単な説明】
【図１】本発明の斜視図である。
【図２】本発明の要部の拡大斜視図である。
【図３】図２のIIIーIII線断面図である。
【図４】折り畳み時の正面図である。
【図５】図４の部分拡大図である。
【符号の説明】
２      上段の棚体
３      下段の棚体
１０      支柱
１１      支柱
１２      支柱
１３      支柱
２０      上段の棚体の支杆
２１      上段の棚体の支杆
２２      上段の棚体の中間杆
２３      補強杆
４１      バンド
４２      バンド
【図１】
0003806060.tif 000002
【図２】
0003806060.tif 000003
【図３】
0003806060.tif 000004
【図４】
0003806060.tif 000005
【図５】
0003806060.tif 000006